(57)【特許請求の範囲】
【請求項１】
無線基地局に対して携帯電話端末への緊急用電波信号の発信を指示する無線交換局と、
該指示を受けて携帯電話端末へ緊急用電波信号を発信する無線基地局と、
該緊急用電波信号を受信すると、音響信号を出力する携帯電話端末とからなり、
前記無線交換局は、無線基地局に対して携帯電話端末への通常呼の発信を指示し、
該携帯電話端末からの応答を一定時間内に検出できなかった場合には、応答のなかった携帯電話端末に対して、緊急用電波信号の発信を該無線基地局に指示する
ことを特徴とする位置検出システム。
【請求項２】
前記音響信号は、携帯電話端末内に予め記憶された携帯電話端末所有者を特定する情報が変換されたものである
ことを特徴とする請求項１記載の位置検出システム。
【請求項３】
位置検出システムのための携帯電話端末であって、
緊急無線信号を受信する手段と、
音響信号を出力する出力手段と、
緊急無線信号を受信すると乱数を発生する手段と、
該発生した乱数に基づいて音響信号の出力タイミングを制御する手段と、
を有することを特徴とする携帯電話端末。
【請求項４】
携帯電話端末所有者を特定する情報を記憶する手段と、
緊急無線信号を受信すると、該携帯電話端末所有者を特定する情報を読み出し、音響信号に変換する変換手段と、をさらに有し、
前記出力手段は、前記変換手段で変換された音響信号を出力する
ことを特徴とする請求項３記載の携帯電話端末。
【発明の詳細な説明】
【０００１】
【発明の属する技術分野】
本発明は、地震等の災害時における人命救助サービスに適した携帯電話システムを利用した位置検出システム、及びそのための携帯電話端末に関する。
【０００２】
【従来の技術】
地震等の災害時、倒壊した建物内部の生き埋め者を救出する救急隊員にとって、被害者の存在の確認と正確な場所の特定が急務である。被害者が会話不能である場合は、救助犬や赤外線カメラ等が利用されているが、成功例は極めて低いのが現状である。
【０００３】
一方、被害者が常時携帯している携帯電話端末（ＰＨＳを含む）を、災害救助用情報発信機として利用することは極めて有効だと考えられる。すなわち被害者の携帯電話を呼び出すことにより、その存在と場所をある程度特定することは可能である。
【０００４】
また、既存の無線通信システムを用いて、無線基地局の位置から携帯電話端末の位置を特定する技術も提案されている（例えば、特開平１０−１９７６１６号公報、特開平７−３８９５１号公報）。
【０００５】
【発明が解決しようとする課題】
しかしながら、上記、携帯電話端末（ＰＨＳを含む）を用いる方法では、端末の呼び出し音は通常小さいため、あるいは小さく設定されたり、音を切って振動に代えたりされるため、あまり当てにできないし、複数の被害者が近傍に存在する場合、他者との区別がし難いという問題がある。また、着メロで所有者個人を特定する手段はあるものの、他人にとって何の意味もない。
【０００６】
また、無線基地局の位置から、携帯電話端末の位置を検出する方法では、災害時等に正確な存在確認と場所の特定ができないという問題がある。
【０００７】
本発明は、上記従来の技術の問題点に鑑みてなされたものであり、携帯電話システムを用いて、災害時等での被害者特定と、正確な場所の特定を行うための位置検出システム、及び携帯電話端末を提供することを課題とする。
【０００８】
【課題を解決するための手段】
上記の課題を解決するため、本発明による位置検出システムは、無線基地局に対して携帯電話端末への緊急用電波信号の発信を指示する無線交換局と、該指示を受けて携帯電話端末へ緊急用電波信号を発信する無線基地局と、該緊急用電波信号を受信すると、予め記憶した携帯電話端末所有者を特定する情報を読み出して音響信号に変換して出力する携帯電話端末とからなることを特徴とする。
【０００９】
あるいは、上記の位置検出システムにおいて、携帯電話端末は、音響信号を通常の呼び出し音よりも大きな音量で出力するものであることを特徴とする。
【００１０】
あるいは、上記の位置検出システムにおいて、無線交換局は、緊急用電話番号に対して入力された検出対象の携帯電話端末に対して、緊急用電波信号の発信を無線基地局に指示するものであることを特徴とする。
【００１１】
あるいは、上記の位置検出システムにおいて、無線交換局は、無線基地局に対して携帯電話端末への通常呼の発信を指示し、該携帯電話端末からの応答の有無を取得し、該応答のなかった携帯電話端末に対して、緊急用電波信号の発信を該無線基地局に指示するものであることを特徴とする。
【００１２】
また、本発明による携帯電話端末は、位置検出システムのための携帯電話端末であって、緊急無線信号を受信する手段と、携帯電話端末所有者を特定する情報を記憶する手段と、緊急無線信号を受信すると、該携帯電話端末所有者を特定する情報を読み出し、音響信号に変換する手段と、該変換した音響信号を出力する手段とを有することを特徴とする。
【００１３】
あるいは、上記の携帯電話端末であって、音響信号を出力する手段は、該音響信号を通常の呼び出し音よりも大きな音量で出力するものであることを特徴とする。
【００１４】
あるいは、上記の携帯電話端末であって、乱数を発生する手段と、該発生した乱数に基づいて前記変換した音響信号の出力タイミングを制御する手段とを有することを特徴とする。
【００１５】
本発明では、各々がエリアを構成する複数の無線基地局を有する携帯電話システムを用いて、無線交換局の指示により、携帯電話端末に対して複数の無線基地局から特定の緊急電波信号を送信する。緊急電波信号を受信した携帯電話端末は、この端末内に記憶した携帯電話端末所有者情報（氏名や電話番号など）を音響信号（例えばモールス信号やＤＴＭＦ信号）に変換して、例えば被災地等で聞こえるように大きな音量で出力する。この音響信号により、携帯端末所有者とその居場所の特定を可能にする。
【００１６】
また、乱数を利用して音響信号をランダムに出力することにより、近傍に存在する被災者の識別、切り分けを容易にする。
【００１７】
【発明の実施の形態】
以下、本発明の実施の形態について図を用いて詳細に説明する。
【００１８】
図１は、本発明による位置検出システムの実施形態例を示す全体構成図である。図１において、複数の無線基地局１は各々のエリア（セル）を形成し、各無線基地局１は無線交換局２に接続されている。あるエリア内に携帯電話端末３が存在する場合は、当該無線基地局１と無線交換局２とによって回線が形成される。
【００１９】
図２〜図４は、本発明による携帯電話端末の第１の実施形態例の構成を示す図である。図中の各部、及び機能等は、本発明における手段の例である。
【００２０】
図２に示すように、本携帯電話端末では、通常の携帯電話端末に、無線基地局から発信された緊急用電波信号をアンテナ３１から受信して検出する緊急信号受信部３２と、携帯電話端末の所有者を特定するためのＩＤ情報を記憶するメモリを有し緊急用電波信号を検出したとき携帯電話端末の所有者を特定するためのＩＤ情報（氏名、住所、連絡先等を例えば、数字とアルファベットで表現したもの）を前記のメモリから読み出して音響信号（緊急発信音）に変換する緊急発信音発生部３３とを付加し、変換した音響信号をスピーカ３４から通常の呼び出し音の最大音量、あるいはこの最大音量よりも大きな音量で出力する。
【００２１】
このとき、緊急発信音発生部３３で発生する緊急発信音は、例えば、図３（ａ）に示すように、上記ＩＤ情報をＩＤ情報格納メモリ３３１から読み出し、モールス信号発生部３３２を備えてＩＤ情報を含んだモールス信号に変換する方式や、図３（ｂ）に示すように、上記ＩＤ情報をＩＤ情報格納メモリ３３１から読み出し、ＤＴＭＦ（Ｄｕａｌ  Ｔｏｎｅ  Ｍｕｌｔｉ  Ｆｒｅｑｕｅｎｃｙ）エンコーダ３３３を備えてＤＴＭＦ信号に変換する方式が考えられる。
【００２２】
前者では、モールス信号を理解できる者であれば、特別な装置なしで携帯電話端末所有者を特定することができる。また、後者の場合には、図４に示すように、ＤＴＭＦ信号の緊急発信音をマイク４１で受信し、ＤＴＭＦデコーダ４２を備えてＩＤ情報にデコードするＩＤ情報検出装置が必要となる。なお、前者のモールス信号による緊急発信音を出力する場合でも、マイクでモールス信号の緊急発信音を受信し、モールス信号からＩＤ情報を解読する手段を備えて携帯電話端末所有者を特定するＩＤ情報検出装置を用いることができる。また、モールス信号やＤＴＭＦ信号は一例であって他の信号を用いてもよい。
【００２３】
図５は、本発明による携帯電話端末の第２の実施形態例の構成を示す図である。図中の各部、及び機能等は、本発明における手段の例である。
【００２４】
本携帯電話端末では、上記第１の実施形態例による携帯電話端末の緊急発信音発生部３３に緊急発信音出力制御部３５と乱数発生部３６を付加し、乱数発生部３６で発生した乱数により緊急発信音発生部３３の音響信号を出力するタイミングを緊急発信音出力制御部３５で決定して制御するようにしたものである。例えば、緊急用電波信号を受信した場合に発生した乱数によるタイマを用いて緊急発信音発生部３３を起動すること、あるいは緊急発信音発生部３３で発生した音響信号を記憶し前記のタイマを用いて遅延させたのち出力することなど、種々の手段が考えられる。
【００２５】
これにより、音響信号が出力されるタイミングがランダムになるため、近接する場所で複数の携帯電話端末が緊急用電波信号を受信した場合にも、発生される音響信号を識別、切り分けすることが可能となる。
【００２６】
次に、図１に示した本位置検出システムの動作概要を述べる。
（１）まず、無線交換局２は、地震等の災害のあった地域内の無線基地局１に対して、位置検出対象の携帯電話端末３への緊急電波信号発信を指示する。
（２）次に、無線交換局２からの指示を受けた無線基地局１は、緊急用電波信号を送信する。
（３）次に、位置検出対象の携帯電話端末３は、緊急用電波信号を受信すると、メモリから携帯電話端末の所有者を特定するためのＩＤ情報を読み出し、音響信号に変換して、最大音量あるいは通常の呼び出し音よりも大音量でスピーカから出力する。
【００２７】
なお、（１）において、位置検出対象の携帯電話端末３の特定は、例えば、図６の動作フローに示すように、無線交換局２が、他の電話端末／携帯電話端末からの発呼（例えば、緊急用の特定番号への発呼）によって、検出対象の携帯電話端末３の番号の入力を受けた場合にその検出対象の携帯電話端末３への緊急用電波信号の送信を無線基地局１へ指示する場合や、図７に示すように、無線交換局２側で、災害地域内の無線基地局１を特定し、各無線基地局１に対して、エリア内にある全ての携帯電話端末３への緊急用電波信号の送信を指示する場合などが考えられる。
【００２８】
また、各無線基地局１は、緊急用電波信号を発信する前に、携帯電話端末３に対して、例えば安否を確認するための通常の発信を行って一定時間内に応答があるかをチェックし、なかった携帯電話端末３に対してのみ、緊急電波信号を発信するようにしてもよい。
【００２９】
また、本発明において、携帯電話端末には、ＰＨＳや携帯性を有する種々の無線通信システムの端末が含まれることは言うまでもない。
【００３０】
【発明の効果】
以上で説明で明らかなように、本発明は下記のような効果を奏する。
・携帯電話端末所有者を特定するＩＤ情報を含む音響信号が、通常の発信音よりも大きな音量で出力されるので、救助者が携帯電話端末の存在を認識しやすく音源位置同定精度も高くなる。
・出力される音響信号にはＩＤ情報を内在しているので、端末所有者を特定することができ、被害者家族への連絡等、迅速な対応が可能となる。
・音響信号の出力タイミングをランダムにした場合には、多数の被害者が発生した現場でも、緊急発信音の識別、切り分けが可能となる。
・更に、緊急用電波信号を発信する前に、通常発信により安否確認を行うようにした場合には、健常者への無意味な緊急用電波信号の発信を避けることが可能となる。
【図面の簡単な説明】
【図１】本発明の一実施形態例による位置検出システムの構成図
【図２】本発明の第１の実施形態例による携帯電話端末の機能ブロック図
【図３】（ａ），（ｂ）は、上記実施形態例における緊急発信音発生部の機能ブロック図
【図４】上記実施形態例におけるＤＴＭＦ型ＩＤ情報検出装置の機能ブロック図
【図５】本発明の第２の実施形態例による携帯電話端末の機能ブロック図
【図６】本発明の実施形態例による動作フロー図（その１）
【図７】本発明の実施形態例による動作フロー図（その２）
【符号の説明】
１…無線基地局
２…無線交換局
３…携帯電話端末
３１…アンテナ
３２…緊急信号受信部
３３…緊急発信音発生部
３３１…ＩＤ情報格納メモリ
３３２…モールス信号発生部
３３３…ＤＴＭＦエンコーダ
３４…スピーカ
３５…緊急発信音出力制御部
３６…乱数発生部
４１…マイク
４２…ＤＴＭＦデコーダ
【図１】
0003813068.tif 000002
【図２】
0003813068.tif 000003
【図３】
0003813068.tif 000004
【図４】
0003813068.tif 000005
【図５】
0003813068.tif 000006
【図６】
0003813068.tif 000007
【図７】
0003813068.tif 000008